(57)【要約】【課題】ペーパーサポートを記録装置本体に常設する構造にすることで、従来の問題を解決し、更にそのペーパーサポートに付加価値を持たせた記録装置を提供すること。【解決手段】長尺な被記録媒体Ｐを支える被記録媒体サポート７０を有する給送部と、記録部４５と、被記録媒体Ｐの搬送手段と、被記録媒体受け部５０とを備え、給送部から給送された被記録媒体Ｐを搬送手段で下流に向かって間欠的に搬送しつつ記録部４５で記録を実行し、記録実行された被記録媒体Ｐを被記録媒体受け部５０で受けて保持する構成の記録装置であって、被記録媒体サポート７０は、ベース部８０に、その基端を支点に使用時の立設位置と非使用時の横倒し位置とを切り替え可能に設けられている。【選択図】　　　　図９
2004075389.tif 000002
【特許請求の範囲】
【請求項１】
長尺な被記録媒体を支える被記録媒体サポートを有する給送部と、記録部と、被記録媒体の搬送手段と、被記録媒体受け部とを備え、給送部から給送された被記録媒体を搬送手段で下流に向かって間欠的に搬送しつつ記録部で記録を実行し、記録実行された被記録媒体を被記録媒体受け部で受けて保持する構成の記録装置であって、
前記被記録媒体サポートは、ベース部に、その基端を支点に使用時の立設位置と非使用時の横倒し位置とを切り替え可能に設けられていることを特徴とする記録装置。
【請求項２】
請求項１において、前記被記録媒体サポートの前記横倒し位置は、記録装置の前方であって、ハウジングの天面に沿うように倒れた位置であることを特徴とする記録装置。
【請求項３】
請求項２において、前記横倒し位置にある前記被記録媒体サポートは、記録装置の外形を平面透視してできる平面輪郭からはみ出ない構造に形成されていることを特徴とする記録装置。
【請求項４】
請求項１から３のいずれか１項において、前記立設位置と前記横倒し位置とをスナップフィット構造で保持するように構成されていることを特徴とする記録装置。
【請求項５】
請求項４において、前記スナップフィット構造は、前記被記録媒体サポートに設けられた有孔突起と、前記ベース部に設けられ、前記有孔突起と係合することにより前記横倒し位置を形成させる第１突起と前記有孔突起と係合することにより前記立設位置を形成させる第２突起を有していることを特徴とする記録装置。
【請求項６】
請求項１から５のいずれか１項において、前記被記録媒体サポートは、前記ベース部に対して着脱可能に構成されていることを特徴とする記録装置。
【請求項７】
請求項６において、前記被記録媒体サポートの前記ベース部に対する着脱は、当該被記録媒体サポートが前記立設位置である場合にのみ可能となるように構成されていることを特徴とする記録装置。
【請求項８】
長尺な被噴射媒体を支える媒体サポートを有する給送部と、液体噴射部と、被噴射媒体の搬送手段と、被噴射媒体受け部とを備え、給送部から給送された被噴射媒体を搬送手段で下流に向かって間欠的に搬送しつつ液体噴射部で液体付着を実行し、液体付着された被噴射媒体を被噴射媒体受け部で受けて保持する構成の液体噴射装置であって、
前記媒体サポートは、ベース部に、その基端を支点に使用時の立設位置と非使用時の横倒し位置とを切り替え可能に設けられていることを特徴とする液体噴射装置。
【発明の詳細な説明】
【０００１】
【発明の属する技術分野】
本発明は、インクジェットプリンタなどの記録装置及び液体噴射装置に関する。ここで液体噴射装置とは、インクジェット式記録ヘッドが用いられ、該記録ヘッドからインク滴を吐出して被記録媒体に記録を行うプリンタ、複写機およびファクシミリ等の記録装置に限らず、インクに代えてその用途に対応する液体を前記記録ヘッドに相当する液体噴射ヘッドから被記録媒体に相当する被噴射媒体に噴射して、前記液体を前記被噴射媒体に付着させる装置を含むものである。液体噴射ヘッドとして、前記記録ヘッドの他に、液晶ディスプレー等のカラーフィルター製造に用いられる色剤噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０００２】
【従来の技術】
記録装置および液体噴射装置の１つとしてインクジェットプリンタがある。インクジェットプリンタなどの記録装置は、給紙部と、記録部と、被記録紙などの被記録媒体（以下「用紙」という）の搬送手段と、排紙受け部とを備え、給紙部から給紙された用紙を搬送手段で下流に向かって間欠的に搬送しつつ記録部で記録を実行し、記録実行された用紙を排紙受け部で受けて保持するように構成されているのが一般的である。そして、給紙部は、その本体の高さがプリンタのハウジングとほぼ同じ位の高さに形成され、長尺な用紙を斜めに立たせた状態にセットして給紙する際には該用紙を正しい姿勢に保持するために用紙の中央部辺りから上端部を斜め後ろから支えるペーパーサポートを用いるように構成されている。
【０００３】
【特許文献１】
特開２００２−３７４６０号公報
【０００４】
【発明が解決しようとする課題】
ところが、従来のペーパーサポートは、本体と切り離して構成され、使用するときだけ、本体側の被係止部にその基端を係止して取り付け、使わないときは外して保管場所にしまっておくようになっていた。そのため、使い勝手が悪く、また紛失しやすい問題があった。
【０００５】
本発明の目的は、被記録媒体サポート（媒体サポート）を記録装置本体（液体噴射装置本体）に常設する構造にすることで、従来の問題を解決し、更にその被記録媒体サポート（媒体サポート）に付加価値を持たせた記録装置（液体噴射装置）を提供することにある。
【０００６】
【課題を解決するための手段】
上記目的を達成するために、本発明の第１の態様に係る記録装置の発明は、長尺な被記録媒体を支える被記録媒体サポートを有する給送部と、記録部と、被記録媒体の搬送手段と、被記録媒体受け部とを備え、給送部から給送された被記録媒体を搬送手段で下流に向かって間欠的に搬送しつつ記録部で記録を実行し、記録実行された被記録媒体を被記録媒体受け部で受けて保持する構成の記録装置であって、前記被記録媒体サポートは、ベース部に、その基端を支点に使用時の立設位置と非使用時の横倒し位置とを切り替え可能に設けられていることを特徴とする。
【０００７】
本発明によれば、被記録媒体サポートは、ベース部に、その基端を支点に使用時の立設位置と非使用時の横倒し位置とを切り替え可能に設けられているので、従来のように非使用時の際に被記録媒体サポートを装置本体から取り外して別途保管する必要がなく、従って紛失する虞もなく、極めて使い勝手のよい被記録媒体サポートを備えた記録装置を実現することができる。
【０００８】
また、本発明の第２の態様に係る記録装置の発明は、前記第１の態様において、前記被記録媒体サポートの前記横倒し位置は、記録装置の前方であって、ハウジングの天面に沿うように倒れた位置であることを特徴とする。
本発明によれば、非使用時には、被記録媒体サポートは記録装置の前方であって、ハウジングの天面に沿うように倒れた位置にあるので、必然的に給送部の給送用開口をカバーでき、更に記録装置天面を保護でき、もって常設の被記録媒体サポートに給送部保護や記録装置天面保護の機能を付加させることができる。
【０００９】
また、本発明の第３の態様に係る記録装置の発明は、前記第２態様において、前記横倒し位置にある前記被記録媒体サポートは、記録装置の外形を平面透視してできる平面輪郭からはみ出ない構造に形成されていることを特徴とする。
これにより、非使用時の大型化を防止できる。すなわち、非使用時における記録装置の設置スペースを有効に小さくすることができる。
【００１０】
また、本発明の第４の態様に係る記録装置の発明は、前記第１の態様から前記第３の態様のいずれかの態様において、前記立設位置と前記横倒し位置とをスナップフィット構造で保持するように構成されていることを特徴とする。これにより、それぞれの位置を構造簡単にして、がたつき無く安定させることができる。
【００１１】
また、本発明の第５の態様に係る記録装置の発明は、前記第４の態様において、前記スナップフィット構造は、前記被記録媒体サポートに設けられた有孔突起と、前記ベース部に設けられ、前記有孔突起と係合することにより前記横倒し位置を形成させる第１突起と前記有孔突起と係合することにより前記立設位置を形成させる第２突起を有していることを特徴とする。
本発明によれば、被記録媒体サポートの立設位置と横倒し位置とを確実に保持することができるとともに、それぞれの位置を容易に切り換えることができる。
【００１２】
また、本発明の第６の態様に係る記録装置の発明は、前記第１の態様から前記第５の態様のいずれかの態様において、前記被記録媒体サポートは、前記ベース部に対して着脱可能に構成されていることを特徴とする。これにより、例えば、異なる色の被記録媒体サポートに変えてバリエーションを楽しむことができる。
【００１３】
また、本発明の第７の態様に係る記録装置の発明は、前記第６の態様において、前記被記録媒体サポートの前記ベース部に対する着脱は、当該被記録媒体サポートが前記立設位置である場合にのみ可能となるように構成されていることを特徴とする。本発明によれば、不必要に被記録媒体サポートが外れることを回避することができ、もって立設位置と横倒し位置とを安定に保持することができる。
【００１４】
また、本発明の第８の態様に係る液体噴射装置の発明は、長尺な被噴射媒体を支える媒体サポートを有する給送部と、液体噴射部と、被噴射媒体の搬送手段と、被噴射媒体受け部とを備え、給送部から給送された被噴射媒体を搬送手段で下流に向かって間欠的に搬送しつつ液体噴射部で液体付着を実行し、液体付着された被噴射媒体を被噴射媒体受け部で受けて保持する構成の液体噴射装置であって、前記媒体サポートは、ベース部に、その基端を支点に使用時の立設位置と非使用時の横倒し位置とを切り替え可能に設けられていることを特徴とする。
【００１５】
【発明の実施の形態】
以下、図面を参照しつつ本発明の実施の形態について説明する。以下では先ず、本発明の記録装置または液体噴射装置の一実施形態に係るインクジェットプリンタ（以下「プリンタ」と言う）１００の概略構成について図１乃至図３を参照しつつ説明する。ここで、図１は本発明に係るプリンタ１００の使用状態における概略の外観斜視図であり、図２はプリンタ１００の装置本体（カバー部材等の外観を構成する部材を取り外した状態）の外観斜視図であり、図３は同プリンタ１００の側断面概略図である。尚、以下では、図１の右側すなわち図３の右側（プリンタ１００の後方側）を「上流側」（被記録媒体搬送経路の上流側）と言い、図１の左側すなわち図３の左側（プリンタ１００の前方側）を「下流側」（被記録媒体搬送経路の下流側）と言うこととする。
【００１６】
プリンタ１００は、図１に示したように、給送部として、「被記録媒体サポート」の一例であるペーパーサポート７０を備え「被記録媒体」の一例である被記録紙（以下、「用紙Ｐ」という）を給送する給紙装置１、ハウジング４０内に納められている記録部４５（図２と図３で詳しく説明される）及び記録部４５で記録実行された用紙Ｐを受けて保持する「被記録媒体受け部」の一例である排紙受け部５０を備えている。プリンタ１００は、図２に示す様に装置本体の基体を構成する、平面視略コの字形の形状をなすメインフレーム１２の後方側に給紙装置１を備え、この給紙装置１から用紙Ｐを装置前方側へ１枚ずつ給送する。ここで、図３に示すように給紙装置１は、給紙ローラ３と、分離パッド７と、紙戻しレバー９と、ホッパ５とを備えている。
【００１７】
図示しない駆動モータによって回動駆動される給紙ローラ３は側面視略Ｄ形の形状をなし、ローラ本体３ａと、該ローラ本体３ａの外周部に巻回されるゴム材３ｂとから構成されている。給紙ローラ３は、その円弧部分によって用紙Ｐを給送する一方、平坦部分によって用紙Ｐを通過させて、下流側の用紙Ｐの搬送手段の一つである搬送ローラ１７による搬送動作時に搬送負荷を与えることがないようになっている。
【００１８】
ホッパ５は板状体からなり、図示するように傾斜姿勢に設けられ、且つ、上部に設けられた回動軸５ａを中心に図３の時計方向及び反時計方向に揺動可能に設けられている。そして、図示しないカム機構によって揺動駆動されることにより、下端部が給紙ローラ３に対して圧接及び離間動作する様になっている。従って、ホッパ５が給紙ローラ３に対して圧接方向に揺動すると、ホッパ５上に堆積された用紙Ｐの束は給紙ローラ３に圧接し、そして当該圧接状態で給紙ローラ３が回動（図３において時計回り方向）することにより、堆積された用紙Ｐの最上位のものが下流側へと給送される。なお、符合８は、ホッパ５をその背面から給紙ローラ３に向けて付勢する付勢バネである。
【００１９】
分離パッド７は、高摩擦部材からなり、給紙ローラ３と対向する位置に設けられている。給紙ローラ３が回動すると、給紙ローラ３の円弧部分と分離パッド７とが圧接し、圧接部が形成される。給紙ローラ３の円弧部分によって繰り出された最上位の用紙Ｐは、前記圧接部を通過して下流側へと進むが、最上位の用紙Ｐにつられて下流側へと進もうとする次位以降の用紙Ｐは、前記圧接部により、下流側への進行が阻止され、これによって用紙Ｐの重送が防止される。
【００２０】
紙戻しレバー９はレバー形状をなし、ホッパ５の下端部近傍に配置され、回動支点９ａを中心に図示しない駆動機構によって図３の時計方向および反時計方向に回動可能に設けられている。紙戻しレバー９は、用紙Ｐの給紙動作時には図３に示す様に下流側に倒れた状態となっていて、用紙Ｐの給送を阻害しない状態となっている。そして、用紙Ｐの給紙が始まり、給送される用紙Ｐの先端が紙戻しレバー９の下流側に進むと、紙戻しレバー９は上流側に向かって起き上がり、給送される用紙Ｐにつられて重送されようとする次位以降の用紙Ｐを上流側に押し戻す。これにより、用紙Ｐの重送が更に確実に防止され、一枚の用紙Ｐのみを確実に下流側に給送することができる。
【００２１】
次に、給紙装置１の下流には板状体からなる紙案内１６が略水平に設けられ、給紙ローラ３によって送り出された用紙Ｐの先端が該紙案内１６に斜めに当接し、滑らかに下流側に案内される。紙案内１６から下流には用紙Ｐの搬送手段として、回動駆動される搬送駆動ローラ１７ａと、該搬送駆動ローラ１７ａに圧接する搬送従動ローラ１７ｂとからなる搬送ローラ１７が設けられ、用紙Ｐは、当該搬送駆動ローラ１７ａと搬送従動ローラ１７ｂとにニップされて、一定ピッチで間欠的に下流側に搬送される。ここで、搬送従動ローラ１７ｂは搬送従動ローラホルダ２１の下流側に軸支されていて、当該搬送従動ローラホルダ２１は、回動軸２１ａを中心に図３の時計方向及び反時計方向に回動可能に設けられ、且つ、図示しないねじりコイルばねによって搬送従動ローラ１７ｂが常に搬送駆動ローラ１７ａに圧接する方向（図３の反時計方向）に回動付勢されている。尚、搬送駆動ローラ１７ａは、主走査方向（搬送される用紙Ｐの幅方向。図３において紙面表裏方向）に長い軸体からなり、一方、搬送従動ローラ１７ｂと搬送従動ローラホルダ２１とは、共に搬送駆動ローラ１７ａの軸方向に複数配設されている（図示は省略）。
【００２２】
次に、最も０桁側（セットされる用紙Ｐの基準となる側。図３において紙面表側）に位置する搬送従動ローラホルダ２１近傍には、用紙Ｐの通過を検出する、センサ本体部１９ｂと検出レバー１９ａとからなる紙検出器１９が配設されている。検出レバー１９ａは側面視略「く」の字の形状をなし、その中央付近の回動軸１９ｃを中心に図３の時計方向及び反時計方向に回動可能に設けられている。検出レバー１９ａの上方に位置するセンサ本体部１９ｂは発光部（図示せず）及び該発光部からの光を受ける受光部（図示せず）を備え、検出レバー１９ａの回動軸１９ｃから上側が、その回動動作により、前記発光部から前記受光部に向かう光の遮断及び通過を行う様になっている。従って、図３に示す様に用紙Ｐの通過に伴って検出レバー１９ａが上方に押し上げられるように回動すると、検出レバー１９ａの上側がセンサ本体部１９ｂから外れ、これによって前記受光部が受光状態となって、用紙Ｐの通過を検出する様になっている。
【００２３】
続いて、搬送駆動ローラ１７ａの下流には、記録部４５としてプラテン２７及びインクジェット記録ヘッド（以下「記録ヘッド」という）２５が上下に対向する様に配設され、搬送ローラ１７によって記録ヘッド２５の下へ搬送される用紙Ｐは、プラテン２７によって下側（すなわち、非記録面側）から支持される。記録ヘッド２５はインクカートリッジ３１を搭載するキャリッジ２３の底部に設けられ、該キャリッジ２３は、主走査方向（図３の紙面表裏方向）に延び、メインフレーム１２（図２）によって支持されるキャリッジガイド軸３３により、主走査方向にガイドされる。
【００２４】
図２において、メインフレーム１２の両側部分には自由回動可能な従動プーリ１４と、図示しない駆動モータによって回動駆動される駆動プーリ１３とが設けられ、駆動プーリ１３と従動プーリ１４とには無端ベルト１５が巻回されている。そしてキャリッジ２３は無端ベルト１５の一部に固定され、これにより、キャリッジ２３が主走査方向に往復動する様になっている。そして、キャリッジ２３が主走査方向に往復動しながら記録ヘッド２５（図３）によってインクカートリッジ３１から供給されたインク滴が吐出されることにより、用紙Ｐへの記録動作が実行される。
【００２５】
次に、図３に戻って記録ヘッド２５から下流は排紙部となっていて、回動駆動される排紙駆動ローラ２９ａと、自由回動可能な排紙従動ローラ２９ｂとからなる排紙ローラ２９が設けられている。従って記録ヘッド２５によって記録の行われた用紙Ｐは、排紙駆動ローラ２９ａと排紙従動ローラ２９ｂとによってニップされた状態で排紙駆動ローラ２９ａが回動することにより、矢印方向に排出される。また、排紙従動ローラ２９ｂのやや上流側には、自由回動可能な補助ローラ３０が配設されている。ここで、排紙駆動ローラ２９ａは主走査方向にほぼ等間隔で複数個配設されていて、同様に排紙従動ローラ２９ｂについても、これに合わせてほぼ等間隔で配設されている（図示は省略）。また、補助ローラ３０は、主走査方向において、排紙駆動ローラ２９ａと排紙従動ローラ２９ｂとのほぼ中間に配設されている（図示は省略）。
【００２６】
ところで、搬送ローラ１７と排紙ローラ２９とは、協働して以下の様な作用効果を奏している。即ち、図３に示す様に、搬送ローラ１７において搬送駆動ローラ１７ａと搬送従動ローラ１７ｂとのニップ点がやや下流側に（すなわち、プラテン２７に寄って）設定されていて、また、排紙ローラ２９においては、排紙駆動ローラ２９ａと排紙従動ローラ２９ｂとのニップ点がやや上流側に（すなわち、プラテン２７に寄って）設定されている。このような配設によって、搬送ローラ１７と排紙ローラ２９との間においては、用紙Ｐは図示する様に下に凸となる様な緩やかな湾曲状態となり、これにより、用紙Ｐがプラテン２７に押し付けられる様になっている。その結果、用紙Ｐのプラテン２７からの浮き上がりが防止され、用紙Ｐの記録面と記録ヘッド２５との距離が一定に保たれるので、記録品質の低下を防止できる様になっている。
【００２７】
以上がプリンタ１００の用紙搬送経路の構成であり、以下、図１、図４乃至図９を参照しつつ、給紙装置１のより詳細な構成について説明する。ここで、図４はペーパーサポート７０の非使用時を示す要部拡大斜視図であり、図５はペーパーサポート７０の使用時における要部拡大斜視図であり、図６はペーパーサポート７０の非使用時における要部拡大斜視図であり、図７はペーパーサポート７０を外した分解斜視図であり、図８は図７の要部拡大斜視図であり、図９はペーパーサポートの状態を変位させた際のプリンタ１００の側面図あって、符合７０ａはベース部８０に取り付けるまたは取り外した状態のペーパーサポートを示し、符合７０ｂは立設位置であるペーパーサポートを示し、符合７０ｃは横倒し位置であるペーパーサポートを示したものである。
【００２８】
この実施の形態に係るプリンタ１００は、長尺な用紙Ｐを支えるペーパーサポート７０を有する給紙部と、ハウジング４０内に収められている記録部４５と、用紙Ｐの搬送手段である搬送ローラ１７及び排紙ローラ２９と、排紙受け部５０とを備えている。給紙部から給紙された用紙Ｐを搬送手段で下流に向かって間欠的に搬送しつつ記録部４５で記録を実行し、記録実行された用紙Ｐを排紙受け部５０で受けて保持する構成になっている。前記ペーパーサポート７０は、ホッパ５の両側端部近傍に設けられたベース部８０に、その基端を支点に使用時の立設位置（図１）と非使用時の横倒し位置（図４）とを切り替え可能に設けられている。
【００２９】
本実施の形態によれば、ペーパーサポート７０は、ベース部８０に嵌め込まれて、その基端を支点に装置前後方向に揺動することにより、使用時の立設位置（図１）と非使用時の横倒し位置（図４）とを切り替え可能に構成されている。よって、従来のように非使用時の度にペーパーサポート７０を取り外して別途保管しておく必要がなく、従って紛失する虞もなく、極めて使い勝手のよいペーパーサポートを備えた記録装置を実現することができる。
【００３０】
ペーパーサポート７０の横倒し位置は、図４及び図９に示したように、プリンタ１００の前方であって、ハウジング４０の天面４１に沿うように倒れた位置である。これにより、ペーパーサポート７０が横倒し位置である非使用時には、当該ペーパーサポート７０はプリンタ１００の前方であって、ハウジング４０の天面４１に沿うように倒れた位置にあるので、必然的に給紙部の給紙用開口１ａをカバーすることができ、更にプリンタ天面４１を保護でき、もって常設のペーパーサポート７０に給紙部保護やプリンタ天面保護の機能を付加させることができる。
【００３１】
また、横倒し位置にあるペーパーサポート７０は、図４及び図９に示したように、プリンタ１００の外形を平面透視してできる平面輪郭からはみ出ない構造に形成されている。これにより、非使用時におけるプリンタ１００の大型化を防止できる。
【００３２】
また、ペーパーサポート７０の立設位置と横倒し位置とをスナップフィット構造で保持するように構成されている。すなわち、図８に示したように、ペーパーサポート７０にトラック形状の有孔突起７１が基端に設けられ、一方、ベース部８０には被装着部８１が設けられている。この被装着部８１には、第１突部８２、第２突部８３及び抜け止め突起８４が形成されており、これらによって前記スナップフィット構造が構成されている。
【００３３】
このような構成により、有孔突起７１と第２突起８３とが係合することにより図５に示す如くペーパーサポート７０を立設位置として保持することができ、また、有孔突起７１と第１突起８２とが係合することにより図６に示す如くペーパーサポート７０を横倒し位置として保持することができる。これにより、図５及び図６に示したように、それぞれの位置を構造簡単にして、がたつき無く安定して保持することができる。
【００３４】
また、ペーパーサポート７０は、図７及び図８に示す如く、立設位置である場合においてベース部８０に対して着脱可能に構成されている。すなわち、ペーパーサポート７０のトラック形状の有孔突起７１をベース部８０の案内８０ａに沿わせて装置下方に向けて押し込むことにより、抜け止め突起８４のところを乗り越えて通過させることで着脱可能となっている。このような構成により、例えば、異なる色のペーパーサポートに変えてバリエーションを楽しむことができる。また、ペーパーサポート７０が立設位置である場合にのみ着脱可能に構成されており、さらに抜け止め突起８４の作用によって、ベース部８０に取り付けられている状態において不必要に当該ペーパーサポート７０が外れることがないようになっている。また、ペーパーサポート７０が立設位置である状態において、揺動範囲以上に装置後方に向けて無理な力が働いた場合には、有孔突起７１が被装着部８１から外れ、ペーパーサポート７０、ベース部８０双方が破損することなく、ペーパーサポート７０がベース部８０から外れるようになっている。
【００３５】
以上説明したように、本発明によれば、ペーパーサポートは、ベース部に、その基端を支点に使用時の立設位置と非使用時の横倒し位置とを切り替え可能に設けられているので、非使用時の度にペーパーサポートを取り外して別途保管しておく必要がなく、従って紛失する虞もなく、極めて使い勝手のよいペーパーサポートを備えた記録装置を実現することができる。
【００３６】
また、非使用時には、ペーパーサポートは記録装置の前方であって、ハウジングの天面に沿うように倒れた位置にあるようにすることで、必然的に給紙部の給紙用開口をカバーでき、更にプリンタ天面を保護でき、もって常設のペーパーサポートに給紙部保護やプリンタ天面保護の機能を付加させることができるとともに、非使用時における記録装置の設置スペースを小さくすることができる。
【図面の簡単な説明】
【図１】本発明に係るプリンタの使用状態における概略外観斜視図。
【図２】同プリンタの内部構成を示した装置本体の外観斜視図。
【図３】同プリンタの側断面概略図。
【図４】ペーパーサポートの非使用時を示す要部拡大斜視図。
【図５】ペーパーサポートの使用時における要部拡大斜視図。
【図６】ペーパーサポートの非使用時における要部拡大斜視図。
【図７】ペーパーサポートを外した分解斜視図。
【図８】図７の要部拡大斜視図。
【図９】ペーパーサポートの状態を変位させた同プリンタの側面図。
【符号の説明】
１　給紙装置、　３　給紙ローラ、　５　ホッパ、　７　分離パッド、
８　付勢バネ、　９　紙戻しレバー、　１２　メインフレーム、
１３　駆動プーリ、　１４　従動プーリ、　１５　無端ベルト、
１６　紙案内、　１７　搬送ローラ、　２１　搬送従動ローラホルダ、
２３　キャリッジ、　２５　インクジェット記録ヘッド、
２７　プラテン、　２９　排紙ローラ、　３０　補助ローラ、
３１　インクカートリッジ、　３３　キャリッジガイド軸、
４０　ハウジング、　５０　排紙受け部、　７０　ペーパーサポート、
７１　有孔突起、　８０　ベース部、　８１　被装着部、
８２　第１突起、　８３　第２突起、　８４　抜け止め突起、
１００　インクジェットプリンタ、　Ｐ　用紙
【図１】
2004075389.tif 000003
【図２】
2004075389.tif 000004
【図３】
2004075389.tif 000005
【図４】
2004075389.tif 000006
【図５】
2004075389.tif 000007
【図６】
2004075389.tif 000008
【図７】
2004075389.tif 000009
【図８】
2004075389.tif 000010
【図９】
2004075389.tif 000011